【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
暖房、換気、空気調節、又は冷凍（ＨＶＡＣ＆Ｒ）システムの自動制御のための電子コントローラーデバイスであって、
冷却、冷凍、又は暖房のためのサーモスタットコマンドを傍受し、前記サーモスタットコマンドを、「オン」状態又は「オフ」状態で動作する変調された二値信号と取り替えることが可能なデジタルリサイクルカウンターと、
コミッショニングフェーズを通じて前記ＨＶＡＣ＆Ｒシステムのベースライン性能を確定することが可能であり、エネルギー消費、温度調節、湿度調節、若しくは電力制限、又はそれらの任意の組合せに基づいて調整済性能を確定することが可能な自動構成モードを含むプログラムを含むコンピューター可読ストレージ媒体であって、前記プログラムは、前記調整済性能の確定に基づいて前記デジタルリサイクルカウンターを「オン」状態及び「オフ」状態に調整することが可能である、コンピューター可読ストレージ媒体と、
を備える、暖房、換気、空気調節、又は冷凍（ＨＶＡＣ＆Ｒ）システムの自動制御のための電子コントローラーデバイス。
【請求項２】
前記電子コントローラーデバイスは、時間期間にわたって前記デジタルリサイクルカウンターを更に調整することが可能なオーバーライドモードを更に含む、請求項１に記載の電子コントローラーデバイス。
【請求項３】
前記電子コントローラーデバイスは、前記オーバーライドモードが、温度若しくは湿度又は双方に影響する一時的要因に応答するように動作可能である、請求項２に記載の電子コントローラーデバイス。
【請求項４】
前記電子コントローラーデバイスは、前記自動構成モードが、該ベースライン性能からのデータ又は構成データを処理して、最大空調空間温度、最小空調空間温度、空調空間温度ヒステリシス不感帯、コントローラーサイクル時間、及び空間温度セットポイントに関する推定値を提供し、前記データに基づいて動的数学モデルを作成し、エネルギー消費、温度調節、湿度調節、若しくは電力制限、又はそれらの任意の組合せに基づいて入力された性能要件から調整済みの動的数学モデルを確定し、前記調整済みの動的数学モデルに基づいて前記デジタルリサイクルカウンターを調整するように動作可能である、請求項１に記載の電子コントローラーデバイス。
【請求項５】
暖房ユニット、換気ユニット、空気調節ユニット、又は冷凍ユニットと、請求項１に記載の前記電子コントローラーデバイスとを備える暖房、換気、空気調節、又は冷凍（ＨＶＡＣ＆Ｒ）システムであって、前記ＨＶＡＣ＆Ｒシステムのサーモスタット制御信号を、前記電子コントローラーデバイスからの前記変調された二値制御信号と置き換える、暖房ユニット、換気ユニット、空気調節ユニット、又は冷凍ユニットと、請求項１に記載の前記電子コントローラーデバイスとを備える暖房、換気、空気調節、又は冷凍（ＨＶＡＣ＆Ｒ）システム。
【請求項６】
暖房、換気、空気調節、又は冷凍（ＨＶＡＣ＆Ｒ）システムの自動制御のためのシステムであって、
電源線に動作可能に接続されたサーモスタット、電子コントローラーデバイス、及び少なくとも１つのＨＶＡＣ＆Ｒ負荷ユニットを備え、
該電子コントローラーは、（ａ）該少なくとも負荷ユニットのためのサーモスタットコマンドを傍受し、前記サーモスタットコマンドを「オン」状態又は「オフ」状態で動作する変調された二値信号と取り替えることが可能なデジタルリサイクルカウンターと、（ｂ）コミッショニングフェーズを通じて前記ＨＶＡＣ＆Ｒシステムのベースライン性能を確定することが可能であり、エネルギー消費、温度調節、湿度調節、若しくは電力制限、又はそれらの任意の組合せに基づいて調整済性能を確定することが可能な自動構成モードを含むプログラムを含むコンピューター可読ストレージ媒体であって、前記プログラムは、前記調整済性能の確定に基づいて前記デジタルリサイクルカウンターを「オン」状態及び「オフ」状態に調整することが可能である、コンピューター可読ストレージ媒体と、を備える、
暖房、換気、空気調節、又は冷凍（ＨＶＡＣ＆Ｒ）システムの自動制御のためのシステム。
【請求項７】
暖房、換気、空気調節、又は冷凍（ＨＶＡＣ＆Ｒ）システムの自動制御のためのシステムであって、
電源線に動作可能に接続されたサーモスタット、電子コントローラーデバイス、少なくとも１つのリモート温度センサー、及び少なくとも１つのＨＶＡＣ＆Ｒ負荷ユニットを備え、
該少なくとも１つのリモート温度センサーは、ゾーン内の温度が調節された温度又は湿度にあることを感知し、該感知に関する信号を、該電源線を介して該電子コントローラーに送信するように動作可能であり、
該電子コントローラーは、（ａ）該少なくとも負荷ユニットのためのサーモスタットコマンドを傍受し、前記サーモスタットコマンドを「オン」状態又は「オフ」状態で動作する変調された二値信号と取り替えることが可能なデジタルリサイクルカウンターと、（ｂ）コミッショニングフェーズを通じて前記ＨＶＡＣ＆Ｒシステムのベースライン性能を確定することが可能であり、エネルギー消費、温度調節、湿度調節、若しくは電力制限、又はそれらの任意の組合せに基づいて調整済性能を確定することが可能な自動構成モードを含むプログラムを含むコンピューター可読ストレージ媒体であって、前記プログラムは、前記調整済性能の確定に基づいて前記デジタルリサイクルカウンターを「オン」状態及び「オフ」状態に調整することが可能である、コンピューター可読ストレージ媒体と、を備える、
暖房、換気、空気調節、又は冷凍（ＨＶＡＣ＆Ｒ）システムの自動制御のためのシステム。
【請求項８】
電子コントローラーは、無線イーサネットネットワークと通信するように動作可能な無線送受信機と、無線ＲＦネットワークと通信するように動作可能な無線ＲＦ送受信機と、少なくとも１つのＩ／Ｏ拡張モジュールと通信するための拡張Ｉ／Ｏインターフェースとを更に備え、該システムは、該電子コントローラーと通信するように動作可能な少なくとも１つのデータ集線装置を更に備え、前記データ集線装置は、インターネット及びクラウドサーバーとリンクするためのルーター及びエアカード又は建物ＬＡＮを備え、該システムは、多重負荷ユニット制御及びエネルギー消費管理及び記録保持のために動作可能である、請求項７に記載のシステム。
【請求項９】
負荷需要及び電動式のＨＶＡＣ＆Ｒ負荷ユニットの動作を自動的に制御及び管理する方法であって、
負荷デバイスのためのサーモスタットと、該負荷デバイスのための機器負荷制御スイッチとの間の制御信号線においてコントローラーを電気的に接続するステップであって、該コントローラーは、コンピューター可読ストレージ媒体と、デジタルリサイクルカウンターとを備える、接続するステップと、
複数の動作サイクルにわたって該負荷デバイスを動作させている間に、該コンピューター可読ストレージ媒体から取得した、自動構成モードを含むコミッショニングプログラムを実行することを含むコミッショニングフェーズを該コントローラーを用いて実施するステップであって、該コミッショニングプログラムは、該負荷デバイスの動作のコミッショニングフェーズを通じて該ＨＶＡＣ＆Ｒ負荷ユニットのベースライン性能を確定し、該負荷デバイスについて、エネルギー消費、温度調節、湿度調節、若しくは電力制限、又はそれらの任意の組合せに基づいて調整済性能を確定する、実施するステップと、
該コントローラーにおいて冷却、冷凍、又は暖房のための少なくとも１つのサーモスタットコマンドを傍受し、前記デジタルリサイクルカウンターが、前記調整済性能の確定に基づいて、デジタルリサイクルカウンタープログラムを用いて前記デジタルリサイクルカウンターの「オン」状態及び「オフ」状態を調整するために、前記サーモスタットコマンドを、「オン」状態又は「オフ」状態で動作する変調された二値信号と取り替えるステップと、
を含む、負荷需要及び電動式のＨＶＡＣ＆Ｒ負荷ユニットを自動的に制御及び管理する方法。
【請求項１０】
空気調節システムの単一容量コンプレッサー又は多重容量コンプレッサーに該プログラムを適用することであって、該コンプレッサーはサーモスタット又はＢＭＳから冷却コマンドを受信し、空調空間を冷却するのに用いられる供給空気を生成するように動作可能であり、該適用されるプログラムは、空調空間温度を前記ＯＥＭコントローラーセットポイント付近に維持しながら、電気エネルギー使用量を最小にする、適用することを含む、請求項９に記載のシステム。